(57)【要約】【課題】  作業性良くガラス板の取り付け、取り外しが行えると共にどの作業員が取り付け作業を行ってもガラス板と遊技盤面間の所定の間隙が確保できて、且つ、長期の使用によっても間隙精度が維持できるところの遊技機を提供することを目的としている。【解決手段】  遊技盤４をガラス板７Ａで覆う構成のパチンコ機であって、前面枠セット２の裏面に、少なくとも二つの挟持機構８を設け、該挟持機構８を、ガラス板７Ａの平面方向の回動操作によって、ガラス板セット７の周囲の少なくとも２箇所を弾性的に挟持して固定する構造であることを特徴とする。【選択図】    図１４
2006175035.tif 000002
【特許請求の範囲】
【請求項１】
遊技機前面部に配置された前面枠セットに、透明板とこの透明板の外周部に固定された外枠フレームとから成る透明板組立体が固定され、上記透明板により遊技盤を覆う構成の遊技機において、
上記前面枠セットの裏面に、少なくとも２つの挟持機構を設け、該挟持機構を、上記透明板組立体の平面方向の回動操作によって、透明板組立体の周囲の少なくとも２箇所を挟持して固定する構成であることを特徴とする遊技機。
【発明の詳細な説明】
【技術分野】
【０００１】
本発明は、パチンコ機やスロットマシンに代表される遊技機に関するものである。
【背景技術】
【０００２】
従来、パチンコ機の遊技盤を覆うガラス板の取り付け装置としては、前面枠セットの内側に設けられた断面コの字型の枠体にガラス板を上方より挿入することで取り付ける方式が採用されていた。
【０００３】
しかしながら、当該方式では、コの字型枠フレームのコの字の間隙精度を高めると、ガラス板の挿入が難しくなって作業性が低下し、逆に緩く設定すると、ガタたつきが生じて遊技盤面との間隙が所定の値に維持できなくなると共に遊技球がガラス板に衝突するたびにガラス板が振動し易く、騒音の発生につながるといった課題を有していた。
【０００４】
そこで、ガラス板を止めつける周囲の枠フレーム（ガラス板を２枚重ねとした場合にも適用される）に固定用突片を設けておき、これを前面枠にネジ止めする方式が提案されている（特許文献１、２参照）。
【０００５】
【特許文献１】特開平１０−２６３１６６
【発明の開示】
【発明が解決しようとする課題】
【０００６】
しかしながら、このような方式であっても、ガラス板の取り付け、取り外し作業に際し、平板状のガラス板を前面枠の裏面に当て付けて、精度よくネジ止め作業を行うのは、一人作業では困難である。したがって、組み付け作業性が悪くなると共に無理な作業でガラス板を落として破損したりするケースが発生するという問題がある。
【０００７】
本発明は、上述した従来のガラス板の取り付け装置の持つ問題点を解決し、作業性良くガラス板の取り付け、取り外しが行える遊技機を提供することを目的とする。
【課題を解決するための手段】
【０００８】
上記目的を達成するために、手段１においては、
遊技機前面部に配置された前面枠セットに、透明板とこの透明板の外周部に固定された外枠フレームとから成る透明板組立体が固定され、上記透明板により遊技盤を覆う構成の遊技機において、
上記前面枠セットの裏面に、少なくとも２つの挟持機構を設け、該挟持機構を、上記透明板組立体の平面方向の回動操作によって、透明板組立体の周囲の少なくとも２箇所を挟持して固定する構成であることを特徴とする。
【０００９】
上記構成であれば、透明板組立体の取り付け作業に際して、透明板組立体を、前面枠セットを開いた状態で、その裏面に当て付けて、透明板組立体の平面方向での回動操作だけで、透明板組立体を挟持した状態で固定できるので、１人の組み立て作業員でもって作業性良く取り付けができ、且つ、無理な作業によりガラス板を落として破損するといった課題を抑制できる。
【００１０】
また、背景の技術で説明したネジ止め方式は、ガラス板（透明板）の周囲の複数箇所（通常、４箇所程度）におけるネジの締め付け時に、各ネジの締め付け程度が異なることが原因で、例えば、強く締めつけた箇所にあっては、遊技盤面とガラス板との間隙が狭くなり、遊技盤面とガラス板との並行間隙が確保できなくなって、これが玉つまりを生じ、或いは、ゲートに対する遊技球の入賞確率が設定値と異なるという問題を引き起こしていた。更に、こうした各ネジの締め付け状態は、遊技に使用されて遊技球がガラス板に当たったり、振動を引き起こしたりしたときのネジの緩みによっても発生するので、組み付け時のみならず長期の使用に際しての問題も含んでいる。
【００１１】
加えて、ネジ止め作業については、各作業員のマニュアル作業によるものであるので、各作業員の締め付け度合いも異なることが想定され、その結果、各パチンコ機のガラス板と遊技盤面間の寸法が所定の寸法に確保されることが難いのが現状である。
【００１２】
これに対して、上記構成であれば、透明板組立体の固定が挟持機構によって行われるので、従来のネジ止めとは異なり、遊技盤面とガラス板との並行間隙が確保できるので、玉つまりの発生や、ゲートに対する遊技球の入賞確率が設定値と異なるという問題を緩和できる。更に、長期間の使用によるネジの緩みを防止できるので、長期の使用によっても間隙精度が維持できる。
更に、透明板組立体の固定が挟持機構によって行われると、各作業員毎に締め付け度合いが異なるといった問題も解消できるので、上記作用効果が一層発揮されることになる。
【００１３】
尚、透明板組立体とは、発明を実施するための最良の形態にいうガラス板セット７のことである。
また、本発明に言う平面方向の回動とは、左右周りの何れの方向も含む。
更に、本発明に言う透明板とは、単体、２枚等、この種の遊技機において実施されている状態の透明板の全てを含む。また、透明板の材質はガラスの他プラスチック等でも良い。
【００１４】
手段２：手段１の遊技機において
前記挟持機構は、透明板組立体の周囲を弾性的に挟持して固定する構成であることを特徴とする。
このように弾性的に挟持すれば、手段１の効果が一層発揮される。
【００１５】
手段３：手段１又は２の遊技機において
前記透明板組立体の挟持方向への回動を許容し、挟持解除方向への回動を阻止する牽制機構を設けたことを特徴とする。
この牽制機構を設けることによって、万一不測の回動力が透明板組立体に作用する事態、例えば、透明板組立体を遊技者が不正に吸盤等を用いて回動して開けようとしても、これを阻止することができる。尤も、透明板組立体を挟持方向への回動は問題なく行なうことができる。
【００１６】
手段４：手段３の遊技機において
上記牽制機構としては、一方向の回動を阻止するように、前面枠セットの裏面側に設けたガンギ爪と、透明板組立体の側に設けたラチェット歯とを用いたラチェット機構を用いることを特徴とする。
【００１７】
手段５：手段１〜４の遊技機において
前記挟持機構による透明板組立体の左右回動方向での挟持位置を固定する固定機構を設けたことを特徴とする。
この固定機構は、透明板組立体が一旦挟持された位置において、この透明板組立体を左右回動方向で固定することができるので、上述した如き遊技者による透明板組立体の回動操作は不可能となり、不正を未然に回避できる。
【００１８】
手段６：手段５の遊技機において
上記固定機構としては、前面枠セットの裏面側に設けた楔から成る係合突起と、透明板組立体の側に設けた切り欠き凹部を用いたラチェット機構を用いることを特徴とする。
これにより、双方向の回動を確実に阻止することが可能となる。
【００１９】
手段７：手段１〜手段６の遊技機において
前記透明板組立体の外枠フレームに、前記挟持機構、牽制機構又は固定機構の一部を構成するラチェット歯又は切り欠き凹部を一体的に形成していることを特徴とする。
この外枠フレームは、透明板の外周を保持し、挟持して一体化する部材であるので、部材の兼用化となる。
また、外枠フレームにラチェット歯を設けるだけ、或いは、両者が一体構成である場合には、ここに切り欠きを形成加工するだけで構成可能であり、製作上、簡単に構成できる。
【００２０】
手段８：手段１〜７の遊技機において
前記挟持機構が、前面枠セットの側に設けられると共に一方向に開口を形成した弾性挟持部材と、前記透明板組立体の側に設けられると共に前記開口に挿入可能に形成された被挟持片と、から構成されていることを特徴とする。
このように挟持機構を弾性挟持部材と被挟持片とから構成することによって、簡単な構造でもって挟持機構を構成することができる。
この弾性挟持部材としては、それ自体弾性を有する金属板、或いは合成樹脂板であってもよい。
【００２１】
手段９：手段３〜７の遊技機において
前記牽制機構に、そのガンギ爪を切り欠きから引き上げるための解除機構が設けられていることを特徴とする。
この解除機構を設けることで、透明板組立体を取り外す必要が生じた際に、牽制機構による透明板組立体の回動阻止状態を簡単に開放でき、しかる後に、透明板組立体を逆方向に回動させて挟持機構からの挟持状態を脱するようにすることできる。
尚、解除機構としては、電動式であっても手動式であっても良い。電動式解除機構としては、電磁式、サーボ機構等の手段を用いることができる。
【００２２】
手段１０：手段５〜９の遊技機において
前記固定機構に、その楔の係合突起を係合凹部から引き上げるための解除機構が設けられていることを特徴とする。
これによって、透明板組立体を取り外す必要が生じた際に、牽制機構による透明板組立体の回動阻止状態を簡単に開放でき、しかる後に、透明板組立体を逆方向に回動させて挟持機構からの挟持状態を脱するようにすることできる。
尚、解除機構としては、電動式であっても手動式であっても良い。電動式解除機構としては、電磁式、サーボ機構等の手段を用いることができる。
【００２３】
手段１１：手段１〜手段１０の遊技機において
前記透明板組立体が２枚のガラス板を所定の間隔を隔てた二枚合わせによって構成されていることを特徴とする。
これによって、二層によるガラス板によって、透明板組立体の強度を向上させるだけでなく、遊技球の衝突による騒音に対して遮音効果を発揮させることができる。
尚、２枚のガラス板の間隙は、通常の空気を封入した状態とするか、減圧状態（真空）状態とするかは適宜選択して採用できる。
【００２４】
手段１２：手段１１の遊技機において
２枚のガラス板の間隙に通常の空気が封入された状態で、前記間隙内には吸湿手段が配置されていることを特徴とする。
これによって、前記間隙内部の空気に含まれた水分によって発生する虞がある結露対策が可能となる。
【発明の効果】
【００２５】
本発明によれば、作業性良くガラス板の取り付け、取り外しが行えるガラス板の取り付け装置を提供することができるといった優れた効果を奏する。
【発明を実施するための最良の形態】
【００２６】
〔第１の形態〕
以下、本発明の最良の形態について、図面を参照して詳述する。但し、本発明の実施に際しては、本発明の主旨から逸脱しない限り適宜部分改変可能である。
（パチンコ機正面側の構成）
図１はパチンコ機１の正面図であり、図２は、外枠６に対して内枠５を開放した状態を示す斜視図である。但し、図２では、便宜上、下皿ユニット３が内枠５から取り外された状態を示している。
【００２７】
図１及び図２に示すように、パチンコ機１は、当該パチンコ機１の外殻を形成する外枠６と、この外枠６の一側部に開閉可能に支持された内枠５とを備えており、外枠６と内枠５との構成を個別に詳述する。
【００２８】
上記外枠６は、木製の板材により全体として矩形状に構成され、小ネジ等の離脱可能な締結具によって各板材が組み付けられている。本形態の場合には、外枠６の上下方向の外寸は、８０９ｍｍ（内寸７７１ｍｍ）、左右方向の外寸は５１８ｍｍ（内寸４８０ｍｍ）となっている。なお、外枠６は、樹脂やアルミニウム等の軽金属により構成されているのがよい。このように構成することによって、パチンコ機の軽量化を図ることができる。
【００２９】
一方、上記内枠５の開閉軸線は、パチンコ機１の正面から見てハンドル１２（後述する遊技球発射ハンドル）設置箇所の反対側（図１のパチンコ機１の左側）で上下に延びるように設定されており、この開閉軸線を軸心にして内枠５が前方側に充分に開放できるようになっている。このような構成とするのは、内枠５の開閉軸線がハンドル１２の設置箇所側（図１のパチンコ機１の右側）で上下方向にあるとすると、内枠５を開放する際に遊技球発射ハンドル１２の頭部などが隣のパチンコ機やカードユニット（玉貸しユニット）に干渉することになり、内枠５を充分に開放できないからである。また、内枠５は、合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００３０】
上記内枠５の構成を、図３を用いて詳述する。図３は、パチンコ機１から前面枠ユニット２をとり外した状態を示す正面図である。（但し、図３では、便宜上、遊技盤４面上の遊技領域内の構成〔釘、センター役物等〕を空白で示している。
前記内枠５は、大別すると、その最下部に取り付けられた下皿ユニット３と、下皿ユニット３よりも上側の範囲で、内枠５の左側の上下方向の開閉軸線を軸心にして開閉自在に取り付けられた前面枠セット２と、後述する樹脂ベース１３と、この樹脂ベース１３の後側に取り付けられる遊技盤４とを備えている。これらの各構成を以下説明する。
【００３１】
上記下皿ユニット３は、内枠５に対してネジ等の締結具により固定されている。この下皿ユニット３の前面側には、下皿１４と玉抜きレバー１５と遊技球発射ハンドル１２と灰皿１６と音出力口１７が設けられている。玉受皿としての下皿１４は、下皿ユニット３のほぼ中央部に設けられており、後述の上皿が満タンになった場合等に排出口１８により排出される遊技球を停留する役割がある。
【００３２】
上記玉抜きレバー１５は、下皿１４より遊技球を抜く為のものであり、この玉抜きレバー１５を図１で左側に移動させることにより、下皿１４の底面の所定箇所が開口され、下皿１４内に停留された遊技球を下皿１４の底面の開口部分を通して遊技者の持球貯留箱（ドル箱）に排出することができる。
【００３３】
上記遊技球発射ハンドル１２は、下皿１４よりも右方で手前に突出するように配置されている。遊技者による遊技球発射ハンドル１２の操作に応じて、遊技球発射装置１９によって遊技球が後述する遊技盤４の方へ打ち込まれるようになっている。遊技球発射装置１９は、遊技球発射ハンドル１２と後述するセットハンドル２０と発射モータ２１（図６参照）などで構成されている。
【００３４】
上記音出力口１７は、下皿ユニット３内あるいは背面に設けられたスピーカ２２からの音を出力するための出口である。また、灰皿１６は下皿１４の左方に設けられている。灰皿１６は、左右方向（水平方向）の軸線を軸心にして回動（例えば、前方側に向けて前回り）するように、その右側が下皿１４に片持ち支持されている。
【００３５】
なお、下皿ユニット３は、その大部分が内枠５と同様、ＡＢＳ樹脂にて成形されている。こうすることで、粘性が高く衝撃に強くでき、低コストで製造できる。特に、下皿１４を形成する表面層と下皿奥方の前面パネル部分とを難燃性のＡＢＳ樹脂にて形成している。このため、この部分は燃え難くなっている。
【００３６】
また、前面枠セット２は、図２に示すように、内枠５に対して開閉可能に取り付けられており、内枠５と同様、パチンコ機１の正面からみて左側に上下に延びる開閉軸線を軸心にして前方側に開放できるよういなっている。しかも、前面枠セット２の外側壁（リブ）２ｂ（図３参照）内に嵌り込むようにして取り付けられている。つまり、この前面枠セット２の側面の少なくとも一部が内枠５の外側壁（リブ）２ｂ内に嵌り込むように取り付けられているので、内枠５と前面枠セット２との間隙から異物（針状あるいは薄板状等のものであって、具体的には針金、ピアノ線、セルロイド板等）を差し入れるなどの不正行為を防止できるようになっている。また、前面枠セット２は、内枠５と同様に、合成樹脂、具体的にはＡＢＳ樹脂により構成されているので、粘性が高く衝撃に強くでき、低コストで製造できる。
【００３７】
一方、前面枠セット２の下部（上述の下皿１４の上方位置）には、遊技球の受皿としての上皿２３が前面枠セット２と一体的に設けられている。この上皿２３は、遊技球を一旦貯留し、一列に整列させながら遊技球発射装置１９の方へ導出するための球受皿である。従来のパチンコ機では、前面枠セットの下方に内枠に対して開閉可能な前飾り枠が設けられ、該前飾り枠に上皿が設けられていたのであるが、本形態では、前飾り枠が省略され、前面枠セット２に対して直接的に上皿２３が設けられている。この上皿２３も下皿と同様、表面層が難燃性のＡＢＳ樹脂にて形成される構成となっている。
【００３８】
ここで、前面枠セット２は、少なくとも遊技球発射ハンドル１２に干渉して本パチンコ機１の下方に拡張して設けられており、具体的な数値を示すと、パチンコ機１の下端から前面枠セット２の下端までの寸法（図１のＬ１）は、既存の一機種で例えば約２０１ｍｍであるのに対し、本パチンコ機１では３０ｍｍ程小さく、約１７２ｍｍとなっている。また、これに伴い、パチンコ機１の下端から上皿２３までの寸法（図１のＬ２）も小さくなっており、既存の一機種では例えば約２９８ｍｍであるのに対し、本パチンコ機１では、２６１ｍｍとなっている。
【００３９】
かかる構成では、上皿２３の位置を下げたことにより、パチンコ機１０の左方に設けられた球貸し装置のノズル部（いわゆる、象の鼻）と上皿２３との距離が大きくなって貸し出される遊技球のこぼれ落ちなどが懸念されるが、本形態では、当該ノズル部からの遊技球を受ける部分（向かって左側部分）で上皿２３の周囲壁の一部を高くした（図１の高壁部２４）。これにより、上皿２３の位置を下げた構成にあっても貸し遊技球のこぼれ落ち等の不都合が解消されるようになっている。なお、高壁部２４の高さ寸法は、上皿２３の下げ寸法に見合うものであればよく、本形態では２５ｍｍとした。
【００４０】
図３に示すように、内枠５は、外形が矩形状の樹脂ベース１３を主体に構成されており、樹脂ベース１３の中央部には略円形状の窓孔２５が形成されている。樹脂ベース１３の後側には遊技盤４が着脱可能に装着されている。遊技盤４は四角形状の合板よりなり、その周縁部が樹脂ベース１３（内枠５）の裏側に当接した状態で取着されている。
従って、遊技盤４の前面部の略中央部分が樹脂ベース１３の窓孔２５を通じて内枠５の前面側に露出した状態となっている。なお、遊技盤４の上下方向の長さは４７６ｍｍ、左右方向の長さは４５２ｍｍとなっている（従来と同等サイズ）。
【００４１】
次に、図４を用いて遊技盤４の構成を説明する。図４は遊技盤４の構成を示す正面図である。遊技盤４は、一般入賞口２６、可変入賞装置２７、第１の始動口２８（例えば作動チャッカ）、第２の始動口２９（例えばスルーゲート）、可変表示装置ユニット３０等を備えている。これらの一般入賞口２６、可変入賞装置２７、第１の始動口２８、第２の始動口２９、可変表示装置ユニット３０等は、遊技盤４における、ルータ加工によって形成された各貫通穴にそれぞれに配設され、遊技盤４前面側から木ネジ等により取り付けられている。前述の一般入賞口２６、可変入賞装置２７および第１の始動口２８に遊技球が入球し、当該入球が後述する検出スイッチ（入賞口スイッチ、カウントスイッチ、作動口スイッチ等）で検出され、この検出スイッチの出力に基づいて、上皿２３（または下皿１４）へ所定数の賞品球が払い出される。その他に、遊技盤４にはアウト口３４が設けられており、各種入賞装置等に入球しなかった遊技球はこのアウト口３４を通って図示しない球排出路の方へと案内されるようになっている。遊技盤４には、遊技球の落下方向を適宜分散、調整等するために多数の釘が植設されているとともに、各種部材（投物）が配設されている。
【００４２】
上記可変表示装置ユニット３０は、第１の始動口２８への入賞をトリガとして、識別情報としての第１図柄（例えば装飾図柄）を変動表示する第１図柄表示装置８０と、第２の始動口２９の通過をトリガとして、第２図柄（例えば普通図柄）を変動表示する第２図柄表示装置８１とを備えている。
上記第１図柄表示装置８０と第２図柄表示装置８１の具体構成については、ここでは詳細説明を省く。
【００４３】
また、遊技盤４には、遊技球発射装置１９から発射された遊技球を遊技盤４上部へ案内するためのレールユニット３５が取り付けられており、遊技球発射ハンドル１２の回動操作に伴い発射された遊技球はレールユニット３５を通じて所定の遊技領域に案内されるようになっている。レールユニット３５はリング状をなす樹脂成型品（例えば、フッ素樹脂が添加されて成形されたもの）にて構成されており、内外二重に一体形成された内レール３５Ａと外レール３５Ｂを有する。なお、レールユニット３５はフッ素樹脂を添加して成形されているので、図３に示す奥面３６についての遊技球の摩擦抵抗を少なくできる。内レール３５Ａは上方の約１／４ほどを除いて略円環状に形成され、一部（主に左側部）が内レール３５Ａに向かい合うようにして外レール３５Ｂが形成されている。かかる場合、内レール３５Ａと外レール３５Ｂとにより誘導レールが構成され、これら各レール３５Ａ、３５Ｂが所定間隔を隔てて並行する部分（向かって左側の部分）により球案内通路が形成されている。なお、球案内通路は、遊技盤４との当接面を有した溝状、すなわち手前側を開放した溝状に形成されている。
【００４４】
内レール３５Ａの先端部分（図４の左上部）には戻り球防止部材３７が取着されている。これにより、一旦、内レール３５Ａおよび外レール３５Ｂ間の球案内通路から遊技盤４の上部へと案内された遊技球が再度球案内通路内に戻ってしまうといった事態が防止されるようになっている。また、外レール３５Ｂには、遊技球の最大飛翔部分に対応する位置（図４の右上部：外レール３５Ｂの先端部に相当する部位）に返しゴム３８が取着されている。従って、所定以上の勢いで発射された遊技球は、返しゴム３８に当たって跳ね返されるようになっている。外レール３５Ｂの内側面には、遊技球の飛翔をより滑らかなものとするべく、つまり遊技球の摩擦抵抗を少なくするべく、長尺状をなすステンレス製の金属帯としての摺動プレート３９が取着されている。
【００４５】
また、レールユニット３５の外周部には、外方へ張り出した円弧状のフランジ４０が形成されている。フランジ４０は、遊技盤４に対する取付面を構成する。レールユニット３５が遊技盤４に取り付けられる際には、遊技盤４上にフランジ４０が当接され、その状態で、当該フランジ４０に形成された複数の透孔にネジ等が挿通されて遊技盤４に対するレールユニット３５の締結がなされるようになっている。この形態では、レールユニット３５の少なくとも左側を遊技盤４に強固に締結するために、レールユニット３５の左側はその右側よりも多いネジで遊技盤４に締結されているので、レールユニット３５の左側についての遊技盤４への密着性を上げることかでき、遊技球の球飛びを良くすることができる。レールユニット３５の左側が遊技盤４に対してぐらついていると、このレールユニット３５に出射された遊技球の勢いが当該ぐらつきにより吸収されてしまうからである。
【００４６】
さらに本形態では、正面から見てレールユニット３５の上下左右の各端部は略直線状に（平坦に）形成されている。つまり、レールユニット３５の上下左右の各端部においてはフランジ４０が切り落とされ、パチンコ機１における有限の領域にてレール径の拡張、すなわち遊技盤３０上の遊技領域の拡張が図られるようになっている。
【００４７】
内レール３５Ａおよび外レール３５Ｂ間の球案内通路の入口には、同球案内通路の一部を閉鎖するようにして凸部４１が形成されている。この凸部４１は、内レール３５Ａからレールユニット３５下端部にかけて略鉛直方向に設けられ、遊技領域まで至らず球案内通路内を逆流してくるファール球をファール球通路４２（図３参照）に導くための役目をなす。なお、遊技盤４の右下隅部および左下隅部は、証紙（例えば製造番号が記載されている）等のシール（図４のＳ１，Ｓ２）やプレートを貼着するためのスペースとなっており、この貼着スペースを確保するために、フランジ４０に切欠４３が形成されている。遊技盤４の右下隅部や左下隅部に、証紙等のシール（図４のＳ１，Ｓ２）を貼着することで、遊技盤４と証紙との一義性を持たせることができる。
【００４８】
次に、遊技領域について説明する。遊技領域は、レールユニット３５の内周部（内外レール）により略円形状に区画形成されており、特に本実施の形態では、遊技盤４の盤面上に区画される遊技領域が従来よりもはるかに大きく構成されている。本実施の形態では、外レール３５Ｂの最上部地点から遊技盤４下部までの間の距離は４４５ｍｍ（従来品よりも５８ｍｍ長い）、外レール３５Ｂの極左位置から内レール３５Ａの極右位置までの間の距部は４３５ｍｍ（従来品よりも５０ｍｍ長い）となっている。また、内レール３５Ａの極左位置から内レール３５Ａの極右位置までの間の距離は４１８ｍｍとなっている。
【００４９】
本形態では、遊技領域を、パチンコ機１の正面から見て、内レール３５Ａおよび外レール３５Ｂによって囲まれる領域のうち、内外レール３５Ａ，３５Ｂの並行部分である誘導レールの領域を除いた領域としている。従って、遊技領域と言った場合には誘導レール部分は含まないため、遊技領域の向かって左側限界位置は外レール３５Ｂによってではなく内レール３５Ａによって特定される。同様に、遊技領域の向かって右側限界位置は内レール３５Ａによって特定される。また、遊技領域の下側限界位置は遊技盤４の下端位置によって特定される。また、遊技領域の上側限界位置は外レール３５Ｂによって特定される。
従って、本形態では、遊技領域の幅（左右方向の最大幅）は、４１８ｍｍであり、遊技領域の高さ（上下方向の最大幅）は、４４５ｍｍであり、従来に比べて拡張されている。
【００５０】
なお、遊技領域が左右方向に拡張されていることによって、複数の釘（遊技球を第１の始動口２８、第２の始動口２９等に誘導するための誘導釘）、他の役物を種々配設することができ、第１図柄表示装置８０の左右両側の遊技領域での遊技球の挙動を一層面白くすることができるようになっている。また、遊技領域が上下方向にも拡張されていることから、さらに、複数の釘、風車、他の投物を種々配設することができ、遊技領域での上下方向の遊技球の挙動をより一層面白くすることができるようになっている。
【００５１】
図３の説明に戻り、前記樹脂ベース１３において、窓孔２５（遊技盤４）の下方には、遊技球発射装置１９より発射された直後に遊技球を案内するための発射レール４５が取り付けられている。発射レール４５は、その後方の金属板４６を介して樹脂ベース１３に取付固定されており、所定の発射角度（打ち出し角度）にて直線的に延びるよう構成されている。従って、遊技球発射ハンドル１２の回動操作に伴い発射された遊技球は、まずは発射レール４５に沿って斜め上方に打ち出され、その後前述した通りレールユニット３５の球案内通路を通じて所定の遊技領域に案内されるようになっている。
【００５２】
本パチンコ機１の場合、遊技領域が従来よりも大幅に拡張されることは既に述べたが、かかる構成下では、誘導レールの曲率を小さくせざるを得ないことから、打出球を安定化させるための工夫を要する。そこで本実施の形態では、遊技球の発射位置を低くするとともに発射レール４５の傾斜角度（発射角度）を既存のものよりも幾分大きくし（すなわち発射レール４５を立ち上げるようにし）、さらに発射レール４５の長さを既存のものよりも長くして十分な長さの球誘導距離を確保するようにしている。これにより、遊技球発射装置１９から発射された遊技球をより安定した状態で誘導レールに案内できるようにしている。この場合特に、発射レール４５を、遊技球発射装置１９の発射位置から遊技領域の中央位置（アウト口３４）を越える位置まで延びるよう形成している。
【００５３】
また、発射レール４５とレールユニット３５（誘導レール）との間には所定間隔の隙間があり、この隙間より下方にファール球通路４２が形成されている。従って、仮に、遊技球発射装置１９から発射された遊技球が戻り球防止部材３７まで至らずファール球として誘導レール内を逆戻りする場合には、そのファール球がファール球通路４２を介して下皿１４に排出される。
【００５４】
ファール球が誘導レール内を逆流してくる際、その多くは外レール３５Ｂに沿って流れ、外レール３５Ｂの下端部に到達した時点で下方に落下するが、一部のファール球は誘導レール内で暴れ、内レール３５Ａ側へ跳ね上がるものもある。この際、跳ね上がったファール球は、球案内通路入口の前記凸部４１に当たり、ファール球通路４２に誘導される、これにより、ファール球の全てがファール球通路４２に確実に案内されるようになり、ファール球と次に発射される遊技球との干渉が抑制される。
【００５５】
なお、詳しい図面の開示は省略するが、遊技球発射装置１９には、前面枠セット２側の球出口（上皿２３の最下流部より通じる球出口）から遊技球が１つずつ供給される。この際、本実施の形態では遊技球の発射位置を低くしたため、前面枠セット２側の球出口から前記発射位置への落差が大きくなるが、発射レール４５の基端部付近にはその右側と手前側にそれぞれガイド部材４８，４９を設置した。これにより、前面枠セット２側の球出口から供給される遊技球が常に所定の発射位置にセットされ、安定した発射動作が実現できる。また、遊技球発射装置１９には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることかでき、槌先の打球強さの調整等がしやすくなるという効果がある。
【００５６】
なお、図３中の符号５０は上皿２３に通ずる排出口であり、この排出口５０を介して遊技球が上皿２３に排出される。排出口５０には、略水平方向の回転軸を軸心として略水平状態と略垂直状態とに変位する開閉式のシャッタ５１が取り付けられている、前面枠セット２を内枠５から開放した状能（図３の状態）では、バネ等の付勢力によりシャッタ５１が略水平状態から略垂直状態となり、排出口５０から遊技球がこぼれ落ちないようにこの排出口５０を閉鎖する。また、前面枠セット２を閉鎖した状態では、当該前面枠セット２の裏面に設けられた球通路樋５２（図２参照）によりシャッタ５１が押し開けられて略水平状態になり、排出口５０の方へ排出された遊技球はもれなく球通路樋５２を通って上皿２３に排出されるようになる。従って、前飾り枠が省略され前面枠セット２に対して上皿２３が直接設けられる構成とした本パチンコ機１において、前面枠セット２の開放に際し払出通路内等の遊技球がパチンコ機１外にこぼれ落ちてしまうといった
不都合が防止できるようになっている。
【００５７】
樹脂ベース１３には、窓孔２５の右下部に略四角形状の小窓５３が設けられている。従って、遊技盤４の右下隅部に張られた証紙などのシール（図４のＳ１）は、この小窓５３を通じて視認できるようになっている。また、この小窓５３からシール等を貼り付けることも可能となっている。
【００５８】
また、図３に示すように、内枠５の左端部には、前面枠セット２の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００５９】
図３に示すように、内枠５の上側には、前面枠セット２が内枠５に対して開かれたことを検出する前面枠セット開検出スイッチ５４が設けられている。前面枠セット２が開かれると、前面枠セット開検出スイッチ５４からホール内（パチンコ店内）用コンピュータヘ出力されるようになっている。また、前面枠セット２が閉じられると、図５に示す前面枠セット２の金属製の補強板６９，７０が図３に示す内枠５の一対の金具５７に接触するようになっており、前面枠セット２のアースが確保されている。
【００６０】
ここで、前述した前面枠セット２について、図２，図５を参照しつつより詳細に説明する。図５は、前面枠セット２の背面図である。前面枠セット２には前記遊技領域のほとんどを外部から視認することができるよう略楕円形状の窓部５８が形成されている。詳しくは、窓部５８は、その左右側の略中央部が、上下側に比べて比較的緩やかに湾曲した形状となっている。なお、前記略中央部が直線状になるようにしてもよい。本実施の形態において、窓部５８の上端（外レール３５Ｂの最上部、遊技領域の上端）と、前面枠セット２の上端との間の距離（いわゆる上部フレーム部分の上下幅）は６１ｍｍとなっており、８５ｍｍ〜９５ｍｍ程度上部フレーム幅がある従来技術に比べて著しく短くなっている。これにより、遊技領域の上部領域が確保されやすくなるとともに、大型の電動役物ユニットも比較的上方に配置することかできるようになっている。
【００６１】
また、パチンコ機１の正面から見て窓部５８の左端と前面枠セット２の左端との間の最短距離（いわゆる左側部フレーム部分の左右幅：図５では右側に示されている）、すなわち開閉軸線側のフレーム幅は、前面枠セット２自体の強度および支持強度を高めるために比較的大きく設定されている。この場合、図２および図３を相互に比較すると明らかなように、前面枠セット２が閉じられた状態において、外レール３５Ｂの左端部はもちろん、内レール３５Ａの左端部も前記左側部フレーム部分によって覆い隠される。つまり、誘導レールの少なくとも一部が、パチンコ機１の正面からみて前面枠セット２の左側部フレーム部分と重複し覆い隠される。このように遊技球が一時的に視認困難となったとしても、それは、遊技球が遊技領域に案内される通過点に過ぎず、遊技者が主として遊技を楽しむ遊技領域において遊技球が視認困難となるわけではない。そのため、実際の遊技に際しては何ら支障が生じない。また、このような支障が生じない一方で、前面枠セット２の十分な強度および支持強度が確保可能となっている。ちなみに、パチンコ機１の正面から見て外レール３５の左端位置と外枠６の左端位置との左右方向の距離は２１ｍｍ、遊技領域の右端位置（内レール３５Ａの右端位置）と外枠６の右端位置との左右方向の距離は４４ｍｍとなっている。
【００６２】
加えて、前面枠セット２にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部５８の周縁には、ＬＥＤ等の発光手段を内蔵した環状電飾部６０が左右対称に設けられ、該環状電飾部６０の中央であってパチンコ機１の最上部には、同じくＬＥＤ等の発光手段を内蔵した中央電飾部６１が設けられている。本パチンコ機１では、中央電飾部６１が大当たりランプとして機能し、大当たり遊技状態時に点灯や点滅を行うことにより、大当たり遊技状態中であることを報知する。さらに、上皿２３周りにも、同じくＬＥＤ等の発光手段を内蔵した上皿電飾部６２が設けられている。その他、中央電飾部６１の左右側方には、賞球払出し中に点灯する賞球ランプ６３と所定のエラー時に点灯するエラー表示ランプ６４とが設けられている。また、環状電飾部６０の下端部に隣接するようにして、内枠５表面や遊技盤４の表面等の一部を視認できるよう透明樹脂からなる小窓５３が設けられている。この小窓５３の所定箇所を平面状としているので、遊技盤４の右下隅部に貼り付けられた証紙などを、小窓５３の当該平面状箇所から機械で好適に読み取ることができる。
【００６３】
また、窓部５８の下方には貸球操作部６５が配設されており、貸球操作部６５には球貸しボタン６６と、返却ボタン６７と、度数表示部６８とが設けられている。パチンコ機１の側方に配置された図示しないカードユニット（球貸しユニット）に紙幣やカード等を投入した状態で貸球操作部６５が操作されると、その操作に応じて遊技球の貸出が行われる。球貸しボタン６６は、カード等（記録媒体）に記録された情報に基づいて貸出球を得るために操作されるものであり、カード等に残額が存在する限りにおいて貸出球が上皿２３に供給される。返却ボタン６７は、カードユニットに挿入されたカード等の返却を求める際に操作される。度数表示部６８はカード等の残額情報を表示するものである。なお、カードユニットを介さずに球貸し装置部から上皿に遊技球が直接貸し出されるパチンコ機、いわゆる現金機では貸球操作部６５が不要となる。故に、貸球操作部６５の設置部分に、飾りシール等が付されるようになっている。これにより、カードユニットを用いたパチンコ機と現金機との貸球操作部の共通化が図れる。
【００６４】
また、図１に示すように、前面枠セット２の左側の小窓５３付近を前面側（図２の紙面手前側）に必要以上に突出しないようにしている。こうすることで、パチンコ機１の左側に設けられたカードサンドの球貸し装置から直接に上皿２３に遊技球を貸し出す際に、当該球貸し装置のノーズ部（いわゆる象の鼻）の先端排出口を好適に上皿２３の上方位置に位置させることができ、当該球貸し装置のノーズ部から貸し出される遊技球を上皿２３で受けることができる。
【００６５】
前面枠セット２の裏側には、窓部５８を囲むようにして金属製の各種補強部材が設けられている。詳しくは、図５に示すように、前面枠セット２の裏側にあって窓部５８の上下左右の外側にはそれぞれ補強板６９，７０，７１，７２が取り付けられている。これら補強板６９〜７２は相互に接触して連結されているが、図の左側および上側の補強板７０，７１の連結部には直接の接触を避けるための樹脂パーツ７３が介在されている。このように補強板７０，７１の連結部に樹脂パーツ７３を介在させているので、ノイズが補強板６９〜７２でループすることを防止できる。また、図５の右側の補強板６９にはその中間位置にフック状をなす係合爪６９ａが設けられており、この係合爪６９ａは、前面枠セット２を閉じた状態で内枠５の孔部５ａ（図３参照）に係合されるように構成されている。この構成により、上皿２３を含む形態で前面枠セット２が構成され、その上下の軸支位置が延長されたとしても、中間位置における前面枠セット２の浮き上がりが防止できる。それ故、前面枠セット２を浮かしての不正行為等が抑制されるようになっている。
【００６６】
また、下側の補強板７２には、前記発射レール４５（図３参照）に対向する位置に樹脂製のレール側壁部材７３が設けられている。このレール側壁部材７３は、前面枠セット２を閉じた際に発射レール４５の側壁となる。故に、発射レール４５から遊技球がこぼれ落ちないようになっている。
【００６７】
上述した補強板６９〜７２はガラス（後述のガラス板セット７）支持用の金枠としての機能も兼ね備えており、これら補強板６９〜７２の一部に、後述する挟持機構８の弾性挟持部材８Ａの部分、牽制機構９の全体、或いは固定機構１０の可動部を除く全体が固定される。
【００６８】
前述の通り本形態のパチンコ機１では遊技領域の拡張を図っていることから、前面枠セット２を閉じた状態にあっては、内外のレール３５Ａ，３５Ｂにより構成された誘導レールの一部が前面枠セット２により覆い隠される構成となっている。それ故、当該誘導レールでは手前側の開放部がガラス板セット７で覆えない部分ができてしまう。かかる場合、例えば、遊技球発射装置１９より発射された遊技球が戻り球防止部材４７まで至らず戻ってくると、当該遊技球が誘導レール外にこぼれたり（飛び出したり）、外レール３５Ｂとガラス板セット７との間に挟まってしまうおそれがある。そこで本実施の形態では、前面枠セット２に、誘導レールの手前側開放部を被服するためのレールカバー７４を取り付けている。
【００６９】
レールカバー７４は略円弧状をなす略平板体であって、透明な樹脂により形成されている。レールカバー７４は、その円弧形状が前記誘導レールの形状に対応しており、窓部５８の周縁部に沿って、誘導レールの基端部から先端部近傍までの区間を覆うようにして前面枠セット２の裏側に取着されている。特にレールカバー７４の内径側の寸法・形状は内レール３５Ａのそれにほぼ一致する。レールカバー７４が取着された状態では、その表面側がガラス板セット７に当接した状態となる。前面枠セット２が閉じられた状態においては、レールカバー７４の裏面が誘導レールのほぼ全域を覆うこととなる。これにより、誘導レールのほとんどの区問において遊技球のガラス板セット７への衝突を防止できる。従って、ガラス板セット７への接触による破損等の悪影響を抑制することができる。
【００７０】
また、レールカバー７４の右端部（すなわち、レールカバー７４を前面枠セット２に取着した図５の状態で右端となる部位）には、誘導レールがガラス板セット７の側緑部からはみ出した部分を被覆するための被覆部７５が設けられている。これにより、遊技球が誘導レール外にこぼれたり（飛び出したり）、外レール３５Ｂとガラス板セット７との間に挟まってしまうといった不具合の発生を防止することができる。
【００７１】
さらに、レールカバー７４の裏側には、その内側縁に沿って円弧状に延びかつ図５の手前側に突出した突条７６が形成されている。突条７６は、前面枠セット２が閉じられた状態において、誘導レール内に入り込んだ状態で内レール３５Ａにほぼ一体的に重なり合うよう構成されている。従って、例えば前面枠セット２と内枠５との隙間から針金等を侵入させて不正行為を行おうとしても、誘導レールの内側にある遊技領域にまで針金等を侵入させることが非常に困難となる。結果として、針金等を利用して行われる不正行為を防止することができる。なお、突条７６をより広い範囲で、例えばレールカバー７４の内側縁の全域に沿って形成する構成としても良く、かかる構成によれば、より広い範囲で針金等を侵入させにくくなり、針金等を利用して行われる不正行為をより確実に防止することができる。
【００７２】
また、前面枠セット２の図５の右端部（パチンコ機１正面から見ると左端部）には、内枠５の支持機構として、支持金具７７，７８が取り付けられている。従って、内枠５側の支持金具８１，８２（図３参照）に対して前面枠セット２側の支持金具７７，７８を組み付けることで、内枠５に対して前面枠セット２が開閉可能に装着されるようになる。
【００７３】
（パチンコ機の背面構成）
次に、パチンコ機１の背面の構成を詳しく説明する。図６はパチンコ機１の背面図であり、図７はパチンコ機１の背面構成を主要部品毎に分解して示す分解斜視図である。
【００７４】
先ず、パチンコ機１の背面構成について全体の概要を説明する。パチンコ機１にはその背面（実際には内枠１２および遊技盤４の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本実施の形態では、各種制御基板を２つの取付台に分けて搭載して２つの制御基板ユニットを構成し、それら制御基板ユニットを個別に内枠５または遊技盤４の裏面に装着するようにしている。この場合、主制御基板と音声ランプ制御基板とを一方の取付台に搭載してユニット化すると共に、払出制御基板、発射制御基板および電源基板を他方の取付台に搭載してユニット化している。ここでは便宜上、前者のユニットを「第１制御基板ユニット２０１」と称し、後者のユニットを「第２制御基板ユニット２０２」と称することとする。
【００７５】
また、払出機構および保護カバーも１ユニットとして一体化されており、一般に樹脂部分を裏パックと称することもあるため、ここではそのユニットを「裏パックユニット２０３」と称する。
【００７６】
第１制御基板ユニット２０１、第２制御基板ユニット２０２および裏パックユニット２０３は、ユニット単位で何ら工具等を用いずに着脱できるよう構成されており、さらに、これに加え、一部に支軸部を設けて内枠５または遊技盤４の裏面に対して開閉できる構成となっている。これは、各ユニット２０１〜２０３やその他構成が前後に重ねて配置されても、隠れた構成等を容易に確認することを可能とするための工夫でもある。
【００７７】
一方、図８は、内枠５に遊技盤４を組み付けた状態でその構成を示す背面図であり、図９は内枠５を後方より見た斜視図である。ここでは図８および図９を用いて内枠５および遊技盤４の裏面構成を説明する。
【００７８】
遊技盤４は、樹脂ベース１３に囲まれた四角枠状の設置領域に設置され、内枠５に設けられた複数（本実施の形態では４カ所）の係止固定具２１１，２１２によって脱落しないように固定されている。係止固定具２１１，２１２は手動で回動でき、固定位置（ロック位置）と固定解除位置（アンロック位置）とを切り換えることができるよう構成されており、図８にはロック状態を示す。遊技盤４の左右３ヵ所の係止固定具２１１は金属片を折り曲げ形成したＬ型の金具であり、遊技盤４の固定状態で内枠外方へ張り出さないよう構成されている。なお、遊技盤４の下部１カ所の係止固定具２１２は樹脂製のＩ型の留め具である。
【００７９】
遊技盤４の中央には、可変表示装置ユニット３０が配置されている。可変表示装置ユニット３０においては、センターフレーム７９（図４参照）を背後から覆う樹脂製（例えばＡＢＳ製）のフレームカバーが後方に突出して設けられており、そのフレームカバー２１３の後端に、液晶表示装置たる第１図柄表示装置８０と表示制御装置８１とが前後に重ねられた状態で着脱可能に取り付けられている。フレームカバー２１３内には、センターフレーム４７に内蔵されたＬＥＤ等を駆動するためのＬＥＤ制御基盤などが配設されている。
【００８０】
また、遊技盤４の裏面には、可変表示装置ユニット３０を取り囲むようにして裏枠セット２１５が取り付けられている。この裏枠セット２１５は、遊技盤４の裏面に張り付くようにして設けられる薄型の樹脂成型品（例えばＡＢＳ製）であって、各種入賞口に入賞した遊技球を回収するための遊技球回収機構が形成されている。詳しくは、裏枠セット２１５の下方には、前述した一般入賞口２６、可変入賞装置２７、第１の始動口２８（それぞれ図４参照）の遊技盤４開口部に対応し、且つ下流側で１カ所に集合する回収通路２１６が形成されている。また、遊技盤４の下方には、樹脂製（例えばポリカーボネート樹脂製）の排出通路盤２１７が取り付けられており、該排出通路盤２１７には、排出球をパチンコ機１の外部へ案内するための排出通路２１８が形成されている。従って、図１２に仮想線で例示するように、一般入賞口２６等に入賞した遊技球は何れも裏枠セットの回収通路を介して集合し、更に排出通路盤２１７の排出通路２１８を介してパチンコ機１外部に排出される。なお、アウト口３４（図３参照）も同様に排出通路２１８に通じており、何れの入賞口にも入賞しなかった遊技球も排出通路を介してパチンコ機１の外部に排出される。
【００８１】
なお、排出通路盤２１７は、パチンコ機前面の上皿２３の丁度裏側辺りに設けられており、上皿２３に至る球排出口（図２の球通路樋５２）より針金等を差し込み、さらにその針金等を内枠５と排出通路盤２１７との隙間を通じて遊技領域側に侵入させるといった不正行為が考えられる。そこで本パチンコ機１では、排出通路盤２１７の上皿２３の丁度裏側辺りに、内枠５にほぼ一体的に重なり合うようにしてパチンコ機前方に延びるプレートが設けられている。従って、内枠５と排出通路盤２１７との隙間から針金等を侵入させようとしてもそれがプレートにて阻害され、遊技領域にまで針金等を侵入させることが非常に困難となるので、不正行為を防止することができる。なお、図９において符号２０は打球槌等を備えるセットハンドルであり、符号２１は発射モータである。
【００８２】
また、内枠５裏面には、第２制御基板ユニット２０２や裏パックユニット２０３を取り付けるための取付機構が設けられている。具体的には、内枠５にはその右端部に長尺状の支持金具２３５が取り付けられている。図８に示すように、支持金具２３５は、長尺板状の金具本体２３６を有し、その金具本体２３６より起立させるようにして下方２カ所に第２制御基板ユニット用の支持孔部２３７が形成されると共に、上方２ヵ所に裏パックユニット用の支持孔部２３８が形成されている。それら支持孔部２３７，２３８にはそれぞれ同軸の支持孔が形成されている。その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４３は、遊技盤３０との間に裏パックユニット２０３を挾み込んで支持するための回動式の固定具である。
【００８３】
その他、内枠５の背面構成において、遊技盤４の右下部には、後述する払出機構部より払い出される遊技球を上皿２３、下皿１４、または排出通路２１８の何れかに振り分けるための遊技球分配部２４５が設けられている。すなわち、遊技球分配部２４５の開口部２４５ａは上皿２３に通じ、開口部２４５ｂは下皿１４に通じ、開口部は排出通路２１８に通じる構成となっている。遊技球分配部２４５は、その上方位置に位置する払出機構部（説明省略）とは別体としている。遊技球分配部２４５は、内枠５にネジで締結固定されており、パチンコ機１の上皿２３の排出口１８（図３参照）から異物を挿入操作するなどしても動かない、つまり遊技球分配部２４５が奥側に押されて遊技球分配部２４５と内枠５との間に隙間が空くようなことが無いし、この隙間に異物を押入するなどによる不正を防止できる。
【００８４】
また、内枠５の下端部には、下皿１４に設置されたスピーカ２２の背後を囲むための樹脂製のスピーカボックス２４６が取り付けられており、このスピーカボックス２４６により低音域の音質改善が図られている。
以上詳述したように、本パチンコ機１の本体構造が構成されているが、制御系等にかかわるその他の基本構成については、本発明の主旨から外れるので、ここでの詳細説明は省く。
【００８５】
（ガラス板取り付け装置）
図１０から図１６に示すのは、前面枠セット２の裏面にガラス板７Ａを取り付けるための装置を示し、図１０は要部の正面図、即ち、開いた前面枠セット２の裏面側から見た図である。
前記前面枠セット２の裏面に、ここでは、４つの挟持機構８を設け、該挟持機構８を、ガラス板７Ａの平面方向の回動操作によって、ガラス板セット７の周囲の４箇所を弾性的に挟持して固定できるように構成している。尤も、固定箇所を２箇所、３箇所、或いは５箇所、それ以上とするかは、設計に応じて随時決定してよい。
【００８６】
ここでは、４箇所設置としており、前記ガラス板セット７は、ガラス板セット７の外枠フレーム７Ｂに、前記挟持機構８の一部を構成する被挟持片８Ｂ及びラチェット歯９ｂを連設して構成してある。この外枠フレーム７Ｂは、ガラス板７Ａの外周を保持し、挟持して一体化する部材であるので、部材の兼用化となる（図１２参照）。
【００８７】
上記４つの挟持機構８は、夫々前面枠セット２の側であって、ガラス板セット７の周囲に所定の円周間隔で設けられており、一方向に開口８ａの内側に設置された弾性挟持部材８Ａと、これと対向する剛性を備えた挟持体８Ａ'と、ガラス板セット７の側に対応して４個設けられていて、前記開口８ａに挿入可能に形成された被挟持片８Ｂとから構成されている。ここでは、前記弾性挟持部材８Ａとしては、それ自体弾性を有する１枚の鋼板（挟持機構８の本体を鋼板で構成して一部を細い片として切り欠いて弾性を持たせるようにしている）を用いている。尚、挟持体８Ａ'は、本体の鋼板を曲げ加工しているが、巾の大きな部材として曲げ加工されているので、寧ろ剛性を備えている。他方、被挟持片８Ｂは、ガラス板７の外枠フレーム７Ｂと一体的に構成されているためにＡＢＳ樹脂が用いられている。
【００８８】
これによって、ガラス板セット７を、前面枠セット２の裏面に当て付け、右回転させることにより、被挟持片８Ｂは、弾性挟持部材８Ａが設けられた開口８ａに挿入されて後に、弾性により挟持体８Ａ'との間で挟持され、ガラス板セット７の位置が固定され、保持される。
尚、弾性挟持部材８Ａの素材としては、鋼板以外の金属或いは弾性を発揮する合成樹脂が用いられてもよく、また、被挟持片８Ｂについても、外枠フレーム７Ｂの素材選択に合致させて他の素材（アルミニウム合金等の軽金属）を用い、外枠フレーム７Ｂに対してビス留め等の適宜の手段で取り付けるようにしてもよい。
【００８９】
図１２に示すように、前記ガラス板セット７は、２枚のガラス板７Ａ１,７Ａ２を所定の間隔を隔てた二枚合わせによって構成してある。二層によるガラス板によって、ガラス板セット７の強度を向上させるだけでなく、遊技球の衝突による騒音に対して遮音効果を発揮させることができる。２枚のガラス板７Ａ１,７Ａ２の間隙は、通常の空気を封入した状態とするか、遮音効果を高めるべく減圧状態（真空）状態とするかは適宜選択して採用できる。図中、外枠フレーム７Ｂから外周に一体的に突出されているが被挟持片８Ｂである。
【００９０】
図１３は、空気封入方式を採用し、２枚のガラス板７Ａ１，７Ａ２の間隙に通常の空気の除湿を行うべく、前記間隙内に設けられる乾燥剤１１が設けられている場合の例を示す。これによって、前記間隙内部の空気に含まれた水分によって発生する虞がある結露対策が可能となる。同様に、被挟持片８Ｂは、外枠フレーム７Ｂから外周に一体的に突出されている。
【００９１】
また、前記挟持機構８には、前記ガラス板セット７の挟持方向への回動を許容し、挟持解除方向への回動を阻止する牽制機構９が、前面枠セット２の側の補強板６９〜７２の要所に設けられている（図１０参照）。前記被挟持片８Ｂは、外枠フレーム７Ｂから外向に突出された板状体で、その外周部には、前記被挟持片８Ｂの周縁部に、牽制機構９の一部を構成する複数のラチェット歯９ｂが形成されている。このラチェット歯９ｂは，これに係合するガンギ爪９ｃに対して係合方向を持つように方向（歯の切り込み傾斜）が定められており、ここでは、ガラス板セット７を、その面の中心を回動中心として右回転（時計周り）する方向において、ガンギ爪９ｃの可動を許し、逆方向の回動に対してはラチェット歯９ｂに係合して、回動を阻止するように構成されている（図１５参照）。尤も、ラチェット歯９ｂの刻設方向については、左回動を許容する方向としてもよいことは勿論である。
９ｄは、前記ガンギ爪９ｃに連設され、そのラチェット歯９ｂに係合する方向（歯の谷の方向）へ附勢されるように設けられたスプリングである。
【００９２】
この牽制機構９によって、万一不測の回動力がガラス板セット７に作用する事態、例えば、ガラス板セット７を遊技者が不正に吸盤等を用いて左方向に回動して開けようとしても、これを阻止することができる。尤も、ガラス板セット７を挟持する右方向に回動された場合は係合が進むだけで問題はない。
【００９３】
図示を省略するが、この牽制機構９としては、一方向の回動を阻止できればよく、従って、ガンギ爪９ｃに代えて、前面枠セット２の裏面側に設けたボールと、ガラス板セット７の側に設けた切り欠き凹部（半球穴）を用いてもよい。尤も、上記と同様に、前記切り欠き部凹部（半球穴）は、穴の開口の一側方において傾斜面を備え、もって、ガラス板セット７を右回転させた場合にはボールが切り欠き部凹部（半球穴）から出て次の切り欠き部凹部（半球穴）に相対移動、即ち、ガラス板セット７の回動を許容するものであり、逆方向では、前記傾斜面が存在しないので、ガラス板セット７の回動は阻止される。
【００９４】
前記牽制機構９には、そのガンギ爪９ｃ或いはボールをラチェット歯９ｂから強制的に引き上げるための電動式解除機構９Ａを設けている。この電動式解除機構９Ａとしては、ここでは、電磁式を採用しており、スイッチ９Ｂを操作することで、マグネットを励磁させ、図１６に示すように、前記ガンギ爪８ｃ或いはボールの全体を可動させ、前記ラチェット歯９ｂから強制的に抜き出す。
【００９５】
これによって、ガラス板セット７を取り外す必要が生じた際に、簡単なスイッチ操作によって、４つの牽制機構９によるガラス板セット７の回動阻止状態を簡単に開放させ、しかる後に、ガラス板セット７を逆方向（反時計回り）に回動させて被挟持片８Ｂを挟持機構８からの脱し、ガラス板セット７を取り外すことができる。尚、電動式解除機構９Ａの他の応用例として、既存のサーボ機構を用いてよいことは勿論である。
上記電動式解除機構９Ａを設けることで作業性を高めているが、基本的には、マニュアル操作によって牽制機構９の解除を行い得るものであり、このような場合は、図１７に示す如き構成とすることができる。即ち、上記ガンギ爪９ｃの一部を、スプリング９ｄに抗して指で押さえ、ガンギ爪９ｃをラチェット歯９ｂから持ち上げれば良いのである。
【００９６】
ここで、上記構造であれば、ガラス板セット７の取り付け作業に際して、ガラス板セット７を、前面枠セット２を開いた状態で、その裏面に当て付けて、ガラス板７Ａの平面方向での回動操作だけで、ガラス板セット７を挟持した状態で固定できるので、１人の組み立て作業員でもって作業性良く取り付けができる利点がある。
【００９７】
また、ガラス板セット７の固定が挟持機構８によって行われるので、従来のネジ止めとは異なり、どの作業員が取り付け作業を行ってもガラス板７Ａと遊技盤４との距離が規定値からずれることがないので遊技球の詰まりを未然に回避し、また、ゲート入賞確率を所定の値に維持できるという利点がある。
【００９８】
ここで、遊技球の詰まりを未然に回避できるという理由、ゲート入賞確率を所定の値に維持できるという理由について、以下に説明する。
【００９９】
（１）遊技球の詰まりを未然に回避できるという理由
図１８はガラス板と遊技盤との距離が規定値である場合の力関係を示す平面図、図１９はガラス板と遊技盤との距離が規定値である場合の力関係を示す正面図、図２０はガラス板と遊技盤との距離が規定値を超えている場合の力関係を示す平面図、図２１はガラス板と遊技盤との距離が規定値を超えている場合の力関係を示す正面図である。尚、説明を簡略化すべく、遊技球３００と遊技球３０１とは同一面上にある（同一の高さである）ものとしている。
【０１００】
図１８に示すように、遊技球３００と遊技球３０１とが接すると、両遊技球３００，３０１には力Ｐが働く。この力Ｐを遊技球３０１の中心部において遊技盤４に平行な方向と遊技盤４に垂直な方向とに分解すると、遊技盤４に平行な方向の力Ｐ1と遊技盤４に垂直な方向Ｐ2とが得られる。遊技盤４に垂直な方向Ｐ2は遊技盤４に加わる力であるため、遊技盤４と遊技球３０１との摩擦係数をμとすると、遊技盤４と遊技球３０１との接点では、摩擦力μＰ2が働く。また、図２０に示すように、ガラス板７Ａと遊技盤４との距離が規定値を超えている場合にも、遊技盤４に平行な方向の力Ｆ1と遊技盤４に垂直な方向Ｆ2とが得られ、遊技盤４と遊技球３０１との接点では、摩擦力μＦ2が働く。
【０１０１】
ここで、力Ｆ＝力Ｐであると仮定すると、
Ｆと力Ｆ1とがなす角度θ2＞力Ｐと力Ｐ1とがなす角度θ1
であるので、下記数１〜数３の式が導かれる。
【０１０２】
Ｐｃｏｓθ1＝Ｐ1＞Ｆｃｏｓθ2＝Ｆ1…（数１）
Ｆｓｉｎθ2＝Ｆ2＞Ｐｓｉｎθ1＝Ｐ2…（数２）
μＦ2＞μＰ2…（数３）
【０１０３】
したがって、図２０に示すように、ガラス板７Ａと遊技盤４との距離が規定値を超えている場合には、μＦ2＞Ｆ1となり易くなって、遊技球３０１が図中右方向に逃げ難くなる一方、図１８に示すように、ガラス板７Ａと遊技盤４との距離が規定値である場合には、μＰ2＞Ｐ1となり難くなって、遊技球３０１が図中右方向に逃げ易くなる。
【０１０４】
また、上下方向の力関係も、図２１に示すように、ガラス板７Ａと遊技盤４との距離が規定値を超えている場合には、μＦ2＞Ｍｇとなり易くなって、遊技球３０１が落下し難くなる一方、図１９に示すように、ガラス板７Ａと遊技盤４との距離が規定値である場合には、μＰ2＞Ｍｇとなり難くなって、遊技球３０１が落下し易くなる。尚、図１９、図２１において、Ｍは遊技球の質量であり、ｇは重力加速度である。
尚、上記の説明においては、遊技盤４と遊技球３０１との関係についてのみ述べたが、ガラス板７Ａと遊技球３００との関係についても同様であるということは勿論である。
【０１０５】
（２）ゲート入賞確率を所定の値に維持できるという理由
図２２は第１の始動口の直上に設けられた釘の状態及び遊技盤とガラス板との関係を示す平面図、図２３（ａ）〜（ｃ）ガラス板と遊技盤との距離が異なる場合のおける第１の始動口に対する入球の難易度を示す説明図であり、同図（ａ）はガラス板と遊技盤との距離が規定値である場合の図、同図（ｂ）はガラス板と遊技盤との距離が規定値を超えた場合の図、同図（ｃ）はガラス板と遊技盤との距離が規定値未満である場合の図である。
ここで、第１の始動口２８の直上に設けられた釘（命釘）３０３，３０３は、一般に、遊技盤４からガラス板７Ａに近づくにしたがって、釘３０３，３０３間距離が大きくなるように構成されている。
【０１０６】
このような構成であるため、ガラス板７Ａと遊技盤４との距離が規定値を超えている場合［図２３（ｂ）参照］には、ガラス板７Ａと遊技盤４との距離が規定値である場合［図２３（ａ）参照］に比べて、遊技球３０４が釘３０３の先端部近傍に集まり易くなるため、第１の始動口２８に入球し易くなる。
一方、ガラス板７Ａと遊技盤４との距離が規定値未満である場合［図２３（ｃ）参照］には、ガラス板７Ａと遊技盤４との距離が規定値である場合［図２３（ａ）参照］に比べて、遊技球３０４が釘３０３の根元部近傍に集まり易くなるため、第１の始動口２８に入球し難くなる。
尚、上記の説明では、第１の始動口２８の入球確率について述べたが、一般入賞口２６等についても同様の機構となることは勿論である。
以上のような理由により、上記構成であれば、遊技球の詰まりを未然に回避でき、且つ、ゲート入賞確率を所定の値に維持できることになる。
【０１０７】
〔第２の形態〕
第２の形態では、前記挟持機構８については、実質的に上述の第１の形態と同じ構成であるので、その説明については省略する。
第２の形態では、前記牽制機構９に代えて、固定機構１０が前面枠セット２の側の補強板６９〜７２の要所に設けられている点に特徴を有する。
【０１０８】
図２４に示すように、この挟持機構９によるガラス板セット７の挟持位置を固定する固定機構１０は、ガラス板セット７が一旦挟持された位置において、このガラス板セット７の位置を固定することができるもので、上述した如き遊技者によるガラス板セット７の回動操作は不可能となり、不正を未然に回避できるようにする。
この固定機構１０は、上述の第１の形態とは異なり、ガラス板セット７の双方向の回動（左右方向回転）を阻止するように、前面枠セット２の裏面側に設けた係合突起１０ａ（楔）と、この係合突起１０ａ（楔）の位置を固定、固定解除するボルト緊締具１０ｃと、ガラス板セット７の側に、ここでは被挟持片８Ｂと一体的に設けた係合凹部１０ｂから構成されている。
【０１０９】
具体的には、前記係合突起１０ａ（楔）が、ボルト緊締具１０ｃの弛緩操作で持ち上げられ、係合凹部１０ｂから引き上げられた状態でガラス板セット７が回動され、被挟持片８Ｂが挟持体８Ａ'と弾性挟持部材８Ａとの間に挟持された後に、前記係合突起１０ａ（楔）を下動し、ボルトを締め付け、ガラス板セット７の左右方向の何れの方向に対しても固定機能を発揮する点である。
【０１１０】
この係合突起１０ａは、ここではマニュアル操作を行う実施方法を採っているが、上記の第１の形態と同様に、マグネットを用いた電動式解除機構９Ａと同様のものを敷設し、その係合突起１０ａを上下操作するようにしてもよい。
【０１１１】
（その他の事項）
（１）上記第１の形態では牽制機構９を４箇所設置しているが、このような構造に限定するものではなく、１箇所のみ、或いは２箇所、３箇所に設けられていれば良い。その場合の構成（牽制機構のない構成）は、図２５（挟持解除状態を示す）に示すように、弾性挟持部８Ａ及び剛性の挟持体８Ａ'からなる挟持機構８だけを備えたものとすることができる。尚、この図２５に示すような挟持機構８が備えられれば、本発明の主目的は達成できるので、４箇所の全てをこのような構造の挟持機構８としても良いことは勿論である。また、このことは、牽制機構９のみならず、第２の形態で示した固定機構１０についても同様である。
【０１１２】
（２）挟持機構８としては、上記実施形態の如く弾性力を有している構造に限定するものではなく、挟持機構８の挟持幅をガラス板セット７の被挟持片８Ｂの幅よりも若干大きくなるように構成すれば、ガラス板セット７を十分に固定することができる。
【０１１３】
（３）図２６に示すように、挟持機構８に支持壁３５０を形成すれば、ガラス板セット７のガタツキを一層抑制することが可能である。
【０１１４】
（４）本発明を上記実施形態とは異なるタイプのパチンコ機等に実施しても良い。例えば、Ｖゾーン等の特別領域を有する入賞装置を有するいわゆる第２種パチンコ遊技機などに実施しても良い。更に、パチンコ機以外にも、スロットマシン、アレパチ、麻雀など他の遊技機として実施するようにしても良い。
【０１１５】
（５）本発明を上記実施形態とは異なるタイプのパチンコ機、スロットマシン、アレパチ、麻雀など他の遊技機、パチンコ機とスロットマシンとが融合した遊技機に適用可能である。尚、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【産業上の利用可能性】
【０１１６】
以上のように、本発明は、パチンコ機等の遊技機に適している。
【図面の簡単な説明】
【０１１７】
【図１】パチンコ機の正面図。
【図２】外枠に対して内枠と前面枠セットとを開放した状態を示す斜視図。
【図３】パチンコ機から前面枠セットを取り外した状態を示す正面図。
【図４】遊技盤の構成を示す正面図。
【図５】前面枠セットの背面図。
【図６】パチンコ機の背面図。
【図７】パチンコ機の背面構成を主要部品毎に分解して示す分解斜視図。
【図８】内枠に遊技盤を組み付けた図。
【図９】内枠を後方より見た図。
【図１０】第１の形態における取り付け装置を示す正面図。
【図１１】第１の形態における取り付け装置を示す部分拡大正面図。
【図１２】ガラス板セットの要部の断面図。
【図１３】ガラス板セットの別態様を示す要部の断面図。
【図１４】取り付け装置の一操作状態を示す要部の拡大斜視図。
【図１５】取り付け装置のロック状態を示す要部の正面図。
【図１６】取り付け装置のロック解除状態を示す要部の正面図。
【図１７】取り付け装置の一部改変例を示す要部の拡大斜視図。
【図１８】ガラス板と遊技盤との距離が規定値である場合の力関係を示す平面図。
【図１９】ガラス板と遊技盤との距離が規定値である場合の力関係を示す正面図。
【図２０】ガラス板と遊技盤との距離が規定値を超えている場合の力関係を示す平面図。
【図２１】はガラス板と遊技盤との距離が規定値を超えている場合の力関係を示す正面図。
【図２２】第１の始動口の直上に設けられた釘の状態及び遊技盤とガラス板との関係を示す平面図。
【図２３】ガラス板と遊技盤との距離が異なる場合のおける第１の始動口に対する入球の難易度を示す説明図であり、同図（ａ）はガラス板と遊技盤との距離が規定値である場合の図、同図（ｂ）はガラス板と遊技盤との距離が規定値を超えた場合の図、同図（ｃ）はガラス板と遊技盤との距離が規定値未満である場合の図。
【図２４】第２の形態の取り付け装置の一操作状態を示す要部の拡大斜視図。
【図２５】取り付け装置の別の態様を示す要部の拡大斜視図。
【図２６】取り付け装置の更に別の態様を示す要部の拡大斜視図。
【符号の説明】
【０１１８】
１：パチンコ機
２：前面枠セット
７：ガラス板セット
７Ａ：ガラス板
７Ａ１：ガラス板（一方）
７Ａ２：ガラス板（他方）
７Ｂ：外枠フレーム
８：挟持機構
８Ａ：弾性挟持部材
８Ｂ：被挟持片
９：牽制機構
９Ａ：電動式解除機構
９ｂ：ラチェット歯
９ｆ：切り欠き凹部
１０：固定機構
１０Ａ：電動式解除機構
【図１】
2006175035.tif 000003
【図２】
2006175035.tif 000004
【図３】
2006175035.tif 000005
【図４】
2006175035.tif 000006
【図５】
2006175035.tif 000007
【図６】
2006175035.tif 000008
【図７】
2006175035.tif 000009
【図８】
2006175035.tif 000010
【図９】
2006175035.tif 000011
【図１０】
2006175035.tif 000012
【図１１】
2006175035.tif 000013
【図１２】
2006175035.tif 000014
【図１３】
2006175035.tif 000015
【図１４】
2006175035.tif 000016
【図１５】
2006175035.tif 000017
【図１６】
2006175035.tif 000018
【図１７】
2006175035.tif 000019
【図１８】
2006175035.tif 000020
【図１９】
2006175035.tif 000021
【図２０】
2006175035.tif 000022
【図２１】
2006175035.tif 000023
【図２２】
2006175035.tif 000024
【図２３】
2006175035.tif 000025
【図２４】
2006175035.tif 000026
【図２５】
2006175035.tif 000027
【図２６】
2006175035.tif 000028